(57)【要約】【課題】乾湿の影響による２つの腕部間の寸法の変化を抑制でき、それにより、ハンマーの円滑で安定した動作を確保することができるピアノのハンマーシャンクを提供する。【解決手段】フレンジ２３に支持され、押鍵に伴って回動するピアノのハンマーシャンク２４であって、木材で構成されたシャンク本体２４ａと、このシャンク本体２４ａの一端部に形成され、互いに対向するとともにフレンジ２３の両側に平行に延び、フレンジ２３に回動自在に支持された二股状の２つの腕部２４ｂ、２４ｂと、木材で構成され、２つの腕部２４ｂ、２４ｂの互いに対向する対向方向の変位を抑制するために、対向方向に沿うように繊維方向が配置され、２つの腕部２４ｂ、２４ｂの根元間に接着された木製ブロック２８と、を備えている。【選択図】図２
2008241839.tif 000002
【特許請求の範囲】
【請求項１】
フレンジに支持され、押鍵に伴って回動するピアノのハンマーシャンクであって、
木材で構成されたシャンク本体と、
このシャンク本体の一端部に形成され、互いに対向するとともに前記フレンジの両側に平行に延び、当該フレンジに回動自在に支持された二股状の２つの腕部と、
木材で構成され、前記２つの腕部の互いに対向する対向方向の変位を抑制するために、当該対向方向に沿うように繊維方向が配置され、前記２つの腕部の根元間に接着された変位抑制部材と、
を備えていることを特徴とするピアノのハンマーシャンク。
【請求項２】
互いに対向する平行な二股状の２つの腕部を一端部に連続して延びるように形成した木製のハンマーシャンク材を準備し、
連続して延びるとともに幅方向に繊維方向が配置された木製の変位抑制部材を準備する準備工程と、
前記変位抑制部材を、前記２つの腕部の根元間に挿入し、接着することにより、前記ハンマーシャンク材に取り付ける取付け工程と、
前記変位抑制部材を取り付けた前記ハンマーシャンク材を、前記腕部の延び方向の所定間隔ごとに、当該延び方向と直交する方向に沿って切断することにより、複数のハンマーシャンクを切り出す切断工程と、
を備えていることを特徴とするピアノのハンマーシャンクの製造方法。
【発明の詳細な説明】
【技術分野】
【０００１】
本発明は、押鍵に伴って回動するピアノのハンマーシャンクおよびその製造方法に関する。
【背景技術】
【０００２】
従来、ハンマーシャンクを有するピアノのハンマーとして、例えば特許文献１に記載のものが知られている。このハンマーは、各鍵に対応するように設けられており、ハンマーシャンクフレンジ（以下、単に「シャンクフレンジ」という）に回動自在に支持されている。各ハンマーは、細長い棒状の木製のハンマーシャンクと、このハンマーシャンクの後端部に固定されたハンマーヘッドなどで構成されている。ハンマーシャンクの前端部には、互いに対向し、前方に平行に延びる二股状の左右２つの腕部が形成されている。また、シャンクフレンジは、合成樹脂の成形品で構成されており、ハンマーシャンクレールにねじ止めされている。シャンクフレンジの後端部には、後方に突出する係合部が設けられており、この係合部の両側に、ハンマーシャンクの２つの腕部が係合している。また、両腕部および係合部には、ピンが水平に通されており、このピンは、係合部に固定される一方、両腕部に対して回動自在になっている。これにより、ハンマーは、シャンクフレンジと一体のピンを介して、シャンクフレンジに回動自在に支持されている。また、シャンクフレンジの係合部の両側面は、互いに平行に形成されており、ハンマーシャンクの両腕部の内側面に、若干の隙間をもって対向している。
【０００３】
以上の構成により、鍵が押鍵されると、アクションが作動することによって、ハンマーシャンクが突き上げられることにより、ハンマーが上方に回動し、ハンマーヘッドが弦を打弦することによって、ピアノ音が発生する。また、このハンマーの回動時には、ハンマーシャンクが、その両腕部およびシャンクフレンジの係合部で案内されることにより、ハンマーは、左右にぶれることなく回動する。
【０００４】
しかし、ハンマーシャンクは木製であるため、ピアノの使用環境、特に乾湿の影響を受けやすく、両腕部間の寸法の変化により、ハンマーの円滑で安定した回動動作を得られなくなるおそれがある。具体的には、乾燥による収縮によって、ハンマーシャンクの両腕部間の寸法が小さくなると、両腕部と係合部の間の隙間がなくなり、ハンマーが円滑に回動しないような動作不良（以下「スティック」という）を生じることがある。逆に、湿潤による膨張によって、両腕部間の寸法が大きくなると、両腕部と係合部の間の隙間が広がり、その結果、ハンマーが回動する際に、左右にぶれたり、がたつきが生じたりすることにより、打弦を適切に行えないおそれがある。
【０００５】
本発明は、以上のような課題を解決するためになされたものであり、乾湿の影響による２つの腕部間の寸法の変化を抑制でき、それにより、ハンマーの円滑で安定した動作を確保することができるピアノのハンマーシャンクおよびその製造方法を提供することを目的とする。
【０００６】
【特許文献１】特開２００５−７７４５５号公報
【発明の開示】
【課題を解決するための手段】
【０００７】
上記の目的を達成するために、請求項１に係る発明は、フレンジに支持され、押鍵に伴って回動するピアノのハンマーシャンクであって、木材で構成されたシャンク本体と、このシャンク本体の一端部に形成され、互いに対向するとともにフレンジの両側に平行に延び、フレンジに回動自在に支持された二股状の２つの腕部と、木材で構成され、２つの腕部の互いに対向する対向方向の変位を抑制するために、対向方向に沿うように繊維方向が配置され、２つの腕部の根元間に接着された変位抑制部材と、を備えていることを特徴とする。
【０００８】
この構成によれば、木材で構成されたシャンク本体の一端部に、互いに対向するとともにフレンジの両側に平行に延びる二股状の２つの腕部が形成され、両腕部がフレンジに回動自在に支持されている。これにより、ハンマーシャンクは、押鍵に伴い、２つの腕部およびフレンジで案内されながら回動する。また、変位抑制部材は、シャンク本体の２つの腕部の互いに対向する対向方向に沿うように繊維方向が配置され、両腕部の根元間に接着されている。この変位抑制部材は、木材で構成されているので、比較的容易にかつ安価に作製でき、しかも、シャンク本体の腕部との接着は、木材同士の接着であるので、両者の良好な接着性を確保することができる。その結果、変位抑制部材が両腕部に強固に取り付けられ、それにより、特に、湿潤環境下における両腕部間の広がりを抑制することができる。また、一般に木材は、乾湿による水分の増減によって伸縮するものの、繊維方向においては、他の方向、具体的には、年輪円に接する方向である接線方向、および樹心から放射する方向である放射方向に比べて、伸縮の度合が極めて小さく、乾湿による伸縮が生じづらい。したがって、変位抑制部材の繊維方向が両腕部の対向方向に沿うように配置されていることにより、乾湿による変位抑制部材の伸縮が両腕部の対向方向にほとんど生じることがない。
【０００９】
以上のように、上記の変位抑制部材がシャンク本体の２つの腕部の根元間に接着されていることにより、両腕部が拘束され、乾湿の影響による両腕部間の寸法の変化を抑制することができる。それにより、両腕部とフレンジの間の隙間の大きさを維持することができ、その結果、乾湿によるスティックの発生およびハンマーが回動する際のぶれやがたつきを防止することができる。したがって、乾湿にかかわらず、ハンマーの円滑で安定した動作を確保することができる。
【００１０】
請求項２に係る発明は、互いに対向する平行な二股状の２つの腕部を一端部に連続して延びるように形成した木製のハンマーシャンク材を準備し、連続して延びるとともに幅方向に繊維方向が配置された木製の変位抑制部材を準備する準備工程と、変位抑制部材を、２つの腕部の根元間に挿入し、接着することにより、ハンマーシャンク材に取り付ける取付け工程と、変位抑制部材を取り付けたハンマーシャンク材を、腕部の延び方向の所定間隔ごとに、延び方向と直交する方向に沿って切断することにより、複数のハンマーシャンクを切り出す切断工程と、を備えていることを特徴とする。
【００１１】
この構成によれば、まず、上記の木製のハンマーシャンク材および変位抑制部材を準備する。このハンマーシャンク材は、一端部に連続して延び、互いに平行な二股状の２つの腕部を有する一方、変位抑制部材は、連続して延びるとともに幅方向に繊維方向が配置されるように構成されている。次いで、変位抑制部材を、ハンマーシャンク材の両腕部の根元間に挿入し、接着することにより、ハンマーシャンク材に取り付ける。そして、そのハンマーシャンク材を、腕部の延び方向の所定間隔ごとに、延び方向と直交する方向に沿って切断し、ハンマーシャンク材から複数のハンマーシャンクを切り出す。これにより、２つの腕部の根元間に変位抑制部材を取り付けたハンマーシャンク、すなわち前記請求項１で述べた作用、効果を有するハンマーシャンクを得ることができる。また、連続して延びる変位抑制部材をハンマーシャンク材に取り付けてから、ハンマーシャンクを切り出すので、ハンマーシャンクごとに、それに応じたサイズの変位抑制部材を取り付ける場合に比べて、ハンマーシャンクを効率良く製造することができる。
【００１２】
また、従来一般に、ハンマーシャンクの製造工程では、上記のようなハンマーシャンク材、すなわち変位抑制部材を取り付けていないハンマーシャンク材を、上記と同様にして切断することによって、ハンマーシャンク材からハンマーシャンクを切り出している。したがって、ハンマーシャンクを製造する際に、上記取付け工程以外の工程は、従来の製造ラインをそのまま利用でき、製造コストの上昇を抑制することができる。
【発明を実施するための最良の形態】
【００１３】
以下、図面を参照しながら、本発明の好ましい実施形態を詳細に説明する。図１は、本発明の一実施形態によるピアノのハンマーシャンクを適用したグランドピアノの鍵盤１、アクション２およびハンマー３などを、離鍵状態において示している。
【００１４】
鍵盤１は、グランドピアノの左右方向に並んだ多数の鍵１ａ（１つのみ図示）によって構成されている。各鍵１ａは、前後方向（図１の左右方向）に延び、その中央において、棚板上の筬に立設されたバランスピン（いずれも図示せず）を中心として、回動自在に支持されている。
【００１５】
アクション２は、鍵盤１の後部の上方に設けられており、ウィッペン１１、ジャック１２およびレペティションレバー１３などを、鍵１ａごとに備えている。ウィッペン１１は、前後方向に延び、後端部において、ウィッペンフレンジ１４に支持されている。このウィッペンフレンジ１４は、上下方向に延びており、左右方向に間隔を隔てて配置された複数のブラケット１５（図１では１つのみ図示）に渡されたウイッペンレール１６にねじ止めされている。また、ウィッペンフレンジ１４の上端部には、二股状の左右２つの腕部１４ａ、１４ａ（図１では左側のもののみ図示）が設けられている。これらの両腕部１４ａ、１４ａ間には、ウィッペン１１の後端部が係合し、これらにセンターピン１７が水平に通されている。これにより、ウイッペン１１は、センターピン１７を中心として、ウィッペンフレンジ１４に回動自在に支持されている。また、ウィッペン１１の前後方向の中央部には、下方に突出するヒール部１１ａが設けられている。ウィッペン１１は、このヒール部１１ａを介して、鍵１ａの後部に設けられたキャプスタンスクリュー１ｂに載置されている。また、ウィッペン１１の前端部には、ジャック１２が支持されている。
【００１６】
ジャック１２は、上下方向に延びるハンマー突上げ部１２ａと、その下端部から前方にほぼ直角に延びるレギュレーティングボタン当接部１２ｂとにより、側面形状がＬ字状に形成されている。ウィッペン１１の前端部には、二股状の左右２つの腕部１１ｂ、１１ｂ（図１では左側のもののみ図示）が設けられている。これらの両腕部１１ｂ、１１ｂ間には、ジャック１２の角部が係合し、これらにセンターピン１８が水平に通されている。これにより、ジャック１２は、センターピン１８を中心として、ウィッペン１１の前端部に回動自在に支持されている。また、ハンマー突上げ部１２ａの上端部は、レペティションレバー１３の後述するジャック案内孔１３ａに係合するとともに、レペティションレバー１３に載置された後述するシャンクローラ２６と若干の間隔を存して対向している。さらに、ジャック１２は、後述するレペティションスプリング２２によって、復帰方向（図１の反時計方向）に付勢されている。
【００１７】
レペティションレバー１３は、斜め前上がりに前後方向に延び、ウィッペン１１の前後方向の中央部から上方に突出するレバーフレンジ部２１に支持されている。このレバーフレンジ部２１の上端部には、二股状の左右２つの腕部２１ａ、２１ａ（図１では左側のもののみ図示）が設けられている。これらの両腕部２１ａ、２１ａ間には、レペティションレバー１３の中央部が係合し、これらにセンターピン１９が水平に通されている。これにより、レペティションレバー１３は、センターピン１９を中心として、レバーフレンジ部２１の上端部に回動自在に支持されている。また、レペティションレバー１３は、レバーフレンジ部２１に取り付けられたレペティションスプリング２２によって、復帰方向（図１の反時計方向）に付勢されている。さらに、レペティションレバー１３には、その前部に、上下方向に貫通するジャック案内孔１３ａが形成され、上面のジャック案内孔１３ａ付近に当接するシャンクローラ２６を介して、ハンマー３が載置されている。
【００１８】
図２は、ハンマー３およびこれを支持するハンマーシャンクフレンジ２３（フレンジ）を示している。ハンマー３は、前後方向に延びるハンマーシャンク２４、およびその後端部に設けられたハンマーヘッド２５を有しており、ハンマーヘッド２５は、上方に張られた弦Ｓ（図１参照）に対向している。ハンマーシャンク２４は、例えばシデなどの木材で構成され、細長い棒状のシャンク本体２４ａを有している。このハンマーシャンク本体２４ａは、その繊維方向が長さ方向に沿っていて、前端部の左右方向の幅が他の部分よりも広く形成されるとともに、その前端部の上面および下面が互いに平行な平面で構成されている。
【００１９】
また、シャンク本体２４ａの前端部には、二股状の左右２つの腕部２４ｂ、２４ｂが形成されている。図３に示すように、両腕部２４ｂ、２４ｂは、互いに左右方向に所定の間隔を隔てて対向し、前方に平行に延びている。各腕部２４ｂには、左右方向に貫通したピン孔２４ｃが形成されており、このピン孔２４ｃに、フェルトで構成された円筒状の軸受２７が取り付けられている。また、シャンク本体２４ａの前端部には、下面にシャンクローラ２６が取り付けられ、２つの腕部２４ｂ、２４ｂの根元間に、木製ブロック２８（変位抑制部材）が接着によって取り付けられている。
【００２０】
この木製ブロック２８は、例えばシデなどの木材で構成され、シャンク本体２４ａの左右２つの腕部２４ｂ、２４ｂ間の寸法とほぼ同じ横幅、シャンク本体２４ａの前端部の高さ寸法とほぼ同じ高さ、および所定の厚さ（例えば３〜１０ｍｍ）を有するブロック状に形成されている。また、木製ブロック２８は、その繊維方向が横幅の方向に沿うように構成されている。つまり、両腕部２４ｂ、２４ｂの根元間に取り付けられた木製ブロック２８では、その繊維方向が両腕部２４ｂ、２４ｂの互いに対向する方向（以下、適宜「対向方向」という）に沿うように配置されている。
【００２１】
また、ハンマーシャンクフレンジ（以下「シャンクフレンジ」という）２３は、例えば合成樹脂で構成されており、複数のブラケット１５の間に渡されたハンマーシャンクレール２９（図１参照）の上面にねじ止めされている。図３に示すように、シャンクフレンジ２３は、前後方向に延び、断面が矩形状に形成されている。シャンクフレンジ２３の後端部には、ハンマーシャンク２４の両腕部２４ｂ、２４ｂ間の寸法よりも若干小さい幅を有するとともに後方に突出し、両腕部２４ｂ、２４ｂ間に係合する係合部２３ａが設けられている。この係合部２３ａには、左右方向に貫通するピン取付孔２３ｂが形成されている。そして、係合部２３ａが、両腕部２４ｂ、２４ｂ間に、それらの内側面との間に若干の隙間をもって配置された状態で、センターピン２０が、軸受２７、２７およびこれらの間のピン取付孔２３ｂに通されている。センターピン２０は、その中央部がピン取付孔２３ｂに固定されるとともに、両端部が軸受２７、２７に対し回動自在になっている。これにより、ハンマー３は、シャンクフレンジ２３と一体のセンターピン２０を介して、シャンクフレンジ２３に回動自在に支持されている。
【００２２】
以上の構成によれば、図１に示す離鍵状態から鍵１ａが押鍵されると、ウィッペン１１が、キャプスタンスクリュー１ｂを介して突き上げられることにより、センターピン１７を中心として上方に回動するとともに、ジャック１２およびレペティションレバー１３も、それぞれのセンターピン１８および１９を中心として回動する。そして、ハンマー３は、ジャック１２によりシャンクローラ２６を介して突き上げられ、ハンマーシャンク２４の両腕部２４ｂ、２４ｂおよびシャンクフレンジ２３の係合部２３ａで案内されながら、センターピン２０を中心として、図１の時計方向に回動することにより、弦Ｓを打弦し、それによりピアノ音が発生する。
【００２３】
次に、ハンマーシャンクについて行った乾湿試験について説明する。図４は、乾湿試験を行ったハンマーシャンクの前端部を示しており、（ａ）および（ｂ）はそれぞれ、実施例１および２のハンマーシャンク２４であり、これらのシャンク本体２４ａには、両腕部２４ｂ、２４ｂの根元間に木製ブロック２８が取り付けられている。一方、（ｃ）は、従来、一般的に使用されているハンマーシャンク３０であり、このシャンク本体３０ａには、実施例１および２と異なり、木製ブロック２８が取り付けられていない。また、これらのハンマーシャンク２４、３０のシャンク本体２４ａ、３０ａはいずれも、シデで構成され、その繊維方向が長さ方向（図４の上下方向）に沿うように配置されている。さらに、実施例１および２のシャンク本体２４ａに取り付けられた木製ブロック２８は、シデで構成され、その繊維方向が両腕部２４ｂ、２４ｂの対向方向（図４の左右方向）に沿うように配置されていて、前者の厚さｔが３ｍｍ、後者の厚さｔが７ｍｍに設定されている。また、これらの木製ブロック２８は、木材用の接着剤（例えば酢酸ビニル系の接着剤）によって、両腕部２４ｂ、２４ｂの根元間に接着されている。なお、実施例１および２のシャンク本体２４ａは、従来例のシャンク本体３０ａと同一のものを、その両腕部３０ｂ、３０ｂの根元間において適宜、切削加工することによって作製されたものである。また、実施例１および２のハンマーシャンク２４では、腕部２４ｂの先端から木製ブロック２８までの長さが、互いにほぼ同一に設定されている。
【００２４】
以上の構成を有する実施例１および２のハンマーシャンク２４、２４、ならびに従来例のハンマーシャンク３０を常態（例えば、温度２０℃、湿度５０％）において作製し、まずそれらのハンマーシャンク２４、２４および３０を、所定の加湿条件（温度２３℃、湿度９５％）の試験室内に１週間放置した。その後、ハンマーシャンク２４の両腕部２４ｂ、２４ｂ間、およびハンマーシャンク３０の両腕部３０ｂ、３０ｂ間の寸法（以下、これらを「腕部間寸法Ｗ」という）を測定した。次いで、加湿後のハンマーシャンク２４、２４および３０を、所定の乾燥条件（温度４８℃、湿度３０％）の試験室内に３日間放置した。その後、加湿後と同様に、ハンマーシャンク２４および３０の腕部間寸法Ｗを測定した。また、この乾湿試験では、実施例１および２のハンマーシャンク２４、２４、ならびに従来例のハンマーシャンク３０をそれぞれ、２０個ずつ作製し、それらの腕部間寸法Ｗを測定した。図５は、乾湿試験の試験結果を示しており、腕部間寸法Ｗの平均の変化率を、従来例のそれを１００％として示している。なお、ハンマーシャンク２４、３０の加湿後には、両腕部間が広がり、腕部間寸法Ｗが大きくなるように変化し、逆に、乾燥後には、両腕部間が狭まり、腕部間寸法Ｗが小さくなるように変化した。
【００２５】
図５に示すように、加湿後の変化率については、従来例が１００％であるのに対し、実施例１が２７．０％、実施例２が３２．４％である。この結果から、木製ブロック２８を両腕部２４ｂ、２４ｂの根元間に取り付けることにより、湿潤環境下では、ハンマーシャンク２４の両腕部２４ｂ、２４ｂ間の広がりを、木製ブロック２８が取り付けられていない従来のハンマーシャンク３０に比べて、３０％前後に抑制できることがわかる。また、乾燥後の変化率については、実施例１が１７．５％、実施例２が５．０％である。この結果から、乾燥環境下では、ハンマーシャンク２４の両腕部２４ｂ、２４ｂ間の狭まりを、従来のハンマーシャンク３０に比べて、２０％未満に抑制できることがわかる。特に、木製ブロック２８の厚さｔが実施例１よりも大きい実施例２では、変化率が５．０％ときわめて小さく、木製ブロック２８の厚さｔを比較的大きくすることで、両腕部２４ｂ、２４ｂ間の狭まりを、より効果的に抑制できることがわかる。なお、データは省略するが、実施例１および２の木製ブロック２８はいずれも、両腕部２４ｂ、２４の内側面に強固に接着されていることが確認された。
【００２６】
以上のように、本実施形態では、木製ブロック２８が、シャンク本体２４ａの２つの腕部２４ｂ、２４ｂの根元間に接着によって取り付けられている。この木製ブロック２８は、木材で構成されているので、比較的容易にかつ安価に作製でき、しかも、シャンク本体２４ａの腕部２４ｂとの接着は、木材同士の接着であるので、両者の良好な接着性を確保することができる。その結果、木製ブロック２８が両腕部２４ｂ、２４ｂの内側面に強固に取り付けられ、それにより、特に、湿潤環境下における両腕部２４ｂ、２４ｂ間の広がりを抑制することができる。また、木製ブロック２８の繊維方向が両腕部２４ｂ、２４ｂの対向方向に沿うように配置されているので、乾湿による木製ブロック２８の伸縮が両腕部２４ｂ、２４ｂの対向方向にほとんど生じることがない。したがって、木製ブロック２８がシャンク本体２４ａの両腕部２４ｂ、２４ｂの根元間に接着されていることにより、両腕部２４ｂ、２４ｂが拘束され、乾湿の影響による両腕部２４ｂ、２４ｂ間の寸法の変化を抑制することができる。それにより、両腕部２４ｂ、２４ｂの内側面とシャンクフレンジ２３の係合部２３ａとの間の隙間の大きさを維持することができ、その結果、乾湿によるスティックの発生およびハンマー３が回動する際の左右のぶれやがたつきを防止することができる。したがって、乾湿にかかわらず、ハンマー３の円滑で安定した動作を確保することができる。
【００２７】
次に、ハンマーシャンク２４の製造方法について説明する。図６は、ハンマーシャンク２４の製造方法の工程の一部を順に示している。同図（ａ）に示すように、まず、木製のハンマーシャンク材３１および木製ブロック材３２（変位抑制部材）を準備する（準備工程）。具体的には、所定の形状およびサイズの板材を切削加工することなどにより、互いに対向する平行な二股状の２つの腕部３１ａ、３１ａを一端部に連続して延びるように形成したハンマーシャンク材３１を準備する。また、これとともに、ハンマーシャンク材３１の両腕部３１ａ、３１ａの根元間と相補的な断面形状を有し、連続して延びる木製ブロック材３２を準備する。この木製ブロック材３２では、その繊維方向が幅方向に配置されており、したがって、木製ブロック材３２がハンマーシャンク材３１の２つの腕部３１ａ、３１ａ間に取り付けられたときには、繊維方向が両腕部３１ａ、３１ａの互いに対向する方向に一致する。
【００２８】
次いで、ハンマーシャンク材３１の両腕部３１ａ、３１ａの内側面の根元に、前述したのと同様の接着剤を塗布した後、木製ブロック材３２を両腕部３１ａ、３１ａの根元間に挿入し、接着する（取付け工程）。これにより、図６（ｂ）に示すように、木製ブロック材３２は、ハンマーシャンク材３１の両腕部３１ａ、３１ａの根元間に、しっかりと取り付けられる。次いで、同図（ｃ）に示すように、木製ブロック材３２を取り付けたハンマーシャンク材３１を、腕部３１ａの延び方向の所定間隔Ｔごとに、その延び方向と直交する方向に沿って、挽割りなどによって切断する（切断工程）。それにより、前述した木製ブロック２８を取り付けたハンマーシャンク２４とほぼ同様の複数のハンマーシャンク（以下「半製品ハンマーシャンク」という）が、切り出される。その後、この半製品ハンマーシャンクを適宜、切削加工することなどにより、前述したハンマーシャンク２４、すなわち木製ブロック２８を有するハンマーシャンク２４が得られる。
【００２９】
このハンマーシャンクの製造方法によれば、連続して延びる木製ブロック材３２をハンマーシャンク材３１に取り付けてから、そのハンマーシャンク材３１を切断するので、シャンク本体２４ａごとに木製ブロック２８を取り付ける場合に比べて、木製ブロック２８を有するハンマーシャンク２４を効率良く製造することができる。また、前述したように、木製ブロック材３２をハンマーシャンク材３１に取り付ける以外の工程は、従来一般に行われるハンマーシャンクの製造工程と同じであるので、ハンマーシャンク２４を製造する際に、従来の製造ラインをそのまま利用でき、製造コストの上昇を抑制することができる。
【００３０】
なお、実施形態では、木製ブロック２８に採用される木材の種類として、シデを例示したが、本発明の木製ブロック２８はそれに限定されるものではなく、乾湿によるシャンク本体２４ａの両腕部２４ｂ、２４ｂ間の変位を抑制できるものであれば、他の種類の木材を採用することも可能である。また、実施形態で示したハンマーシャンク２４のシャンク本体２４ａや木製ブロック２８の細部の構成などは、あくまで例示であり、本発明の趣旨の範囲内で適宜、変更することができる。
【図面の簡単な説明】
【００３１】
【図１】本発明の実施形態によるハンマーシャンクを用いたグランドピアノの鍵盤、アクションおよびハンマーなどを、離鍵状態において示す側面図である。
【図２】ハンマーおよびハンマーシャンクフレンジを示す斜視図である。
【図３】図２のハンマーシャンクとハンマーシャンクフレンジの連結部分を拡大して示す分解斜視図である。
【図４】乾湿試験を行ったハンマーシャンクの前端部を示す平面図であり、（ａ）実施例１、（ｂ）実施例２、および（ｃ）従来例を示す。
【図５】乾湿試験の試験結果を示す表である。
【図６】ハンマーシャンクの製造方法を説明するための説明図である。
【符号の説明】
【００３２】
１    鍵盤
１ａ  鍵
３    ハンマー
２３    ハンマーシャンクフレンジ（フレンジ）
２４    ハンマーシャンク
２４ａ  シャンク本体
２４ｂ  腕部
２８    木製ブロック（変位抑制部材）
３１    ハンマーシャンク材
３１ａ  腕部
３２    木製ブロック材（変位抑制部材）
【図１】
2008241839.tif 000003
【図２】
2008241839.tif 000004
【図３】
2008241839.tif 000005
【図４】
2008241839.tif 000006
【図５】
2008241839.tif 000007
【図６】
2008241839.tif 000008